(57)【要約】【課題】ディジタル放送を記録中に、一時的にディジタル放送の受信状態が悪化しても、同時に放映されているアナログ放送を利用して、映像、音声の途切れを生じさせることなく、できる限る鮮明な映像および音声を確実に得ることができるディジタル放送／アナログ放送受信記録装置を提供する。【解決手段】ディジタル放送信号から生成されるトランスポートストリームＴＳｄとアナログ放送信号から生成されるトランスポートストリームＴＳａとを同時に記録しておき、ディジタル放送の受信状態が悪い部分のＴＳｄ１０２を、この部分に該当するＴＳａ２０２で補填する。すなわち、良好なＴＳｄ１０１，１０３と不良ＴＳｄ１０２に対応するＴＳａ２０２とからなる複合ＴＳを形成して保存する。【選択図】　図２
2004080674.tif 000002
【特許請求の範囲】
【請求項１】
ディジタル放送信号とアナログ放送信号とをそれぞれ受信し、選択されたチャンネルの映像信号と音声信号とを記録するディジタル放送／アナログ放送受信記録装置において、
前記ディジタル放送信号を復調することで得られる第１のディジタルデータと、アナログ放送信号を所定の形式に変換することで得られる第２のディジタルデータとを記録する記録手段と、
選択されているディジタル放送信号のチャンネルと同じ番組が放送されているアナログ放送信号のチャンネルを識別し、前記第１のディジタルデータと前記第２のディジタルデータとを並列して前記記録手段にそれぞれ異なるファイルで記録させ、前記ディジタル放送信号のＣ／Ｎ比を観測して該Ｃ／Ｎ比が所定の閾値以下となる時間帯を補填時間情報として記憶し、前記第１、第２のディジタルデータに含まれる時間情報に基づいて、前記第１のディジタルデータの前記Ｃ／Ｎ比が所定の閾値以下となる部分を、該部分に該当する前記第２のディジタルデータで補填し、該第２のディジタルデータで補填された第１のディジタルデータを前記記録手段に保存するとともに、前記第２のディジタルデータを消去するよう制御する制御手段と、を備えたことを特徴とするディジタル放送／アナログ放送受信記録装置。
【請求項２】
ディジタル放送信号とアナログ放送信号とをそれぞれ受信し、選択されたチャンネルの映像信号と音声信号とを記録するディジタル放送／アナログ放送受信記録装置において、
前記ディジタル放送信号を復調することで得られる第１のディジタルデータと、アナログ放送信号を所定の形式に変換することで得られる第２のディジタルデータとを記録する記録手段と、
選択されているディジタル放送信号のチャンネルと同じ番組が放送されているアナログ放送信号のチャンネルを識別し、前記第１のディジタルデータと前記第２のディジタルデータとを並列して前記記録手段にそれぞれ異なるファイルで記録させ、前記第１のディジタルデータにおけるＣ／Ｎ比が所定の閾値以下の部分を、該部分に対応する前記第２のディジタルデータで補填するように前記記録手段を制御する制御手段とを備えたことを特徴とするディジタル放送／アナログ放送受信記録装置。
【請求項３】
前記制御手段は、前記第２のディジタルデータで補填された第１のディジタルデータを前記記録手段に保存するとともに、前記第２のディジタルデータを消去する請求項２に記載のディジタル放送／アナログ放送受信記録装置。
【請求項４】
前記制御手段は、前記ディジタル放送信号のＣ／Ｎ比を観測し、該Ｃ／Ｎ比が予め設定された閾値以下となった時間帯を補填時間情報として記憶し、前記第１、第２のディジタルデータに含まれる時間情報に基づいて、前記第２のディジタルデータで前記第１のディジタルデータを補填する請求項２または請求項３に記載のディジタル放送／アナログ放送受信記録装置。
【発明の詳細な説明】
【０００１】
【発明の属する技術分野】
この発明は、ディジタル放送信号とアナログ放送信号と受信して選択されたチャンネルの映像信号と音声信号とを出力し、ディジタル放送信号およびアナログ放送信号に基づいて生成されたディジタルデータを記録するディジタル放送／アナログ放送受信記録装置に関するものである。
【０００２】
【従来の技術】
ディジタル放送／アナログ放送受信記録装置は、ディジタル放送信号を受信する回路と、アナログ放送信号を受信する回路を具備しており、受信した放送信号をＭＰＥＧ形式等のディジタルデータに変換して、ハードディスク等の記録媒体に記録する。
【０００３】
ディジタル放送波およびアナログ放送波を受信すると、チューナは選択されたチャンネルのディジタル放送信号またはアナログ放送信号を抽出し増幅する。選択されたチャンネルがディジタル放送信号であれば、ディジタル信号復調部に伝送され、ディジタルデータであるトランスポートストリーム（以下、「ＴＳｄ」という。）に変換される。一方、選択されたチャンネルがアナログ放送信号であれば、アナログ信号復調部で映像信号と音声信号とに復調され、エンコーダに伝送され、ディジタルデータであるトランスポートストリーム（以下、「ＴＳａ」という。）に変換される。ＴＳｄ，ＴＳａは、システムコントローラを介し、デコーダに入力され、デコーダで映像信号と音声信号とに変換された出力される。出力された映像信号と音声信号とは、アナログ方式のテレビジョン受像器に入力され、視聴者は所望の番組を視聴する。ここで、視聴者がリモコン等を用いて録画操作を行うと、ＣＰＵはシステムコントローラに記録命令を発生する。システムコントローラは、受信したＴＳｄ，ＴＳａを記憶媒体に別々に記憶させる。
【０００４】
【発明が解決しようとする課題】
ディジタル放送信号はＣ／Ｎ比が所定の閾値よりも低くなると、全く映像や音声を得られなくなってしまう。このため、ディジタル放送受信記録装置（ディジタル放送／アナログ放送受信記録装置）でディジタル放送信号を受信中に、例えば、アンテナの目前を飛行機が通過する等、ディジタル放送信号の受信状態が悪くなる、すなわち、ディジタル放送信号のＣ／Ｎ比が所定の閾値以下になると、その部分の映像および音声を視聴することも、記録することもできなくなってしまう。このように映像や音声が途切れることで、番組のストーリーが分からなくなってしまう。
【０００５】
番組を記録する場合には、ディジタル放送信号を番組の初めから記録していれば、放送が途切れる前後の鮮明な映像が得られる部分と全く映像のない部分とが記録される。このため、視聴者は、後にこの番組を見ても、映像の途切れがあるものしか見ることができなくなり、前述のような問題が生じる。ディジタル放送に途切れがある場合に同じ番組を放映するアナログ放送に移行して記録を続ける技術が▲１▼特開２００１−２８５７３４号公報に開示されているが、ディジタル放送が復帰しても引き続き、アナログ放送で記録を続けるので、視聴者が好んでディジタル放送を予約録画してもアナログ放送が記録されてしまい、視聴者の満足できる映像、音声を得られない。また、▲２▼特開２００１−３２０６３９号公報に開示された技術のように、ディジタル放送の受信状態が悪化すると、別時間帯に放映される同じ番組を検索し、当該番組が存在すれば記録を行う技術もあるが、視聴者が再生したい時点でその番組が放映されていない可能性も十分あり、確実に記録することができない。また、この別時間に放送される番組がアナログ放送であれば、視聴者の意に反し、満足できる映像や音声を得られない。
【０００６】
視聴者としては、ディジタル放送がアナログ放送よりも、映像、音質ともによいからディジタル放送される番組を記録しようとしているため、できる限り記録する番組はディジタル放送であることが望ましい。
【０００７】
この発明の目的は、ディジタル放送を記録中に、一時的にディジタル放送の受信状態が悪化しても、同時に放映されているアナログ放送を利用して、映像、音声の途切れを生じさせることなく、できる限る鮮明な映像および音声を確実に得ることができるディジタル放送／アナログ放送受信記録装置を提供することにある。
【０００８】
【課題を解決するための手段】
この発明に示すディジタル放送／アナログ放送受信記録装置は、ディジタル放送信号を復調することで得られる第１のディジタルデータと、アナログ放送信号を所定の形式に変換することで得られる第２のディジタルデータとを記録する記録手段と、選択されたディジタル放送信号のチャンネルと同時に同じ番組が放送されているアナログ放送信号のチャンネルを識別し、ディジタル放送信号に基づいて生成された第１のディジタルデータとアナログ放送信号を変換して生成された第２のディジタルデータとを並列して記録手段にそれぞれ異なるファイルで記録させ、第１のディジタルデータのＣ／Ｎ比が所定の閾値以下となる部分が存在する場合に、第１のディジタルデータにおけるＣ／Ｎ比が所定の閾値以下の部分を第２のディジタルデータで補填するように記録手段を制御する制御手段とを備えたことを特徴としている。
【０００９】
この構成では、ディジタル放送信号からなる番組を受信して記録中に、ディジタル放送の受信状態が悪化しても、同時にアナログ放送信号からなる番組を受信して記憶しておくことで、ディジタル放送信号で得られなかった部分のみの第１のディジタルデータであるトランスポートストリームＴＳｄがアナログ放送信号で得られた第２のディジタルデータであるトランスポートストリームＴＳａで補填される。
【００１０】
また、この発明に示すディジタル放送／アナログ放送受信記録装置は、第２のディジタルデータで補填された第１のディジタルデータを記録手段に保存するとともに、第２のディジタルデータを消去することを特徴としている。
【００１１】
この構成では、ディジタル放送信号の受信状態が良好な部分では、ディジタル放送信号に基づいて生成された第１のディジタルデータであるトランスポートストリームＴＳｄが記録され、ディジタル放送信号の受信状態が悪い部分では、アナログ放送信号を変換して生成された第２のディジタルデータであるトランスポートストリームＴＳａが補填されて記録されることで、連続する一つのトランスポートストリームのファイルとして保存される。そして、この補填により必要でなくなったトランスポートストリームは記録媒体から消去される。
【００１２】
また、この発明に示すディジタル放送／アナログ放送受信記録装置は、ディジタル放送信号のＣ／Ｎ比を観測し、Ｃ／Ｎ比が予め設定された閾値以下となる時間帯を補填時間情報として記憶し、該補填時間情報と第１、第２のディジタルデータに含まれる時間情報とに基づいて、第１のディジタルデータを第２のディジタルデータで補填することを特徴としている。
【００１３】
この構成では、装置の制御手段が、Ｃ／Ｎ比を観測しておき、Ｃ／Ｎ比が閾値以下に低下する部分、すなわち、ディジタル放送信号によるトランスポートストリームＴＳｄが得られない部分を補填時間情報として記憶しておく。そして、補填を行う時点で、トランスポートストリームＴＳｄ，ＴＳａに含まれる時間情報を参照して、トランスポートストリームＴＳａでトランスポートストリームＴＳｄが補填される。
【００１４】
【発明の実施の形態】
本発明に係るディジタル放送／アナログ放送受信記録装置について、図を参照して説明する。
図１はディジタル放送／アナログ放送受信記録装置の主要部を示すブロック図である。
【００１５】
ディジタル放送／アナログ放送受信記録装置は、チューナ２、ディジタル放送復調部３、アナログ放送復調部４、ＭＰＥＧエンコーダ５、本発明の記録手段に対応するシステムコントローラ６およびハードディスク７、ＭＰＥＧデコーダ８、本発明の制御手段に対応するＣＰＵ１、およびＣＰＵ１に接続するＲＡＭ１１を主要な構成要素としている。なお、チューナ２はディジタル放送信号受信部とアナログ放送信号受信部とを備えており、ディジタル放送信号とアナログ放送信号とを同時に受信することができる。
【００１６】
ディジタル放送の番組を受信する場合、視聴者がリモコン等を用いて所望の番組が放送されているチャンネルを選択する操作を行うと、この選択信号がＣＰＵ１に伝送され、ＣＰＵ１は該当チャンネルを抽出するようにチューナ２を制御する。チューナ２には、アンテナ２０で受信したディジタル放送波が入力される。チューナ２は、選択番組を放送しているチャンネルのディジタル放送信号を抽出し、増幅してディジタル放送復調部３に出力する。ディジタル放送復調部３は、入力されたディジタル放送信号を第１のディジタルデータであるＭＰＥＧ形式のトランスポートストリームＴＳｄ（以下、単に「ＴＳｄ」という。）に変換し、システムコントローラ６に出力する。システムコントローラ６は、入力されたＴＳｄをＭＰＥＧデコーダ８に出力する。ＭＰＥＧデコーダ８は、入力されたＴＳｄを映像データと音声データ等に分離した後、映像データと音声信号とをアナログ方式の映像信号と音声信号とに変換し、文字情報等があればクローズドキャプションとして映像信号に重畳して、図示されていないアナログ方式のテレビジョン受像器に出力する。テレビジョン受像器は、入力された映像信号を用いて画面に映像を表示し、音声信号を用いてスピーカ等の音声出力部から音声を発生する。
【００１７】
視聴者が録画（記録）操作を行った場合には、ＣＰＵ１はシステムコントローラ６に、入力されるＴＳｄを所定の形式（この場合はＭＰＥＧ形式）のファイルで記録媒体であるハードディスク７に記録するように制御する。その後、視聴者が記録されたファイルを再生する場合には、ＣＰＵ１からの命令を受け、システムコントローラ６は、ハードディスク７に記録されたＴＳｄを読み出し、ＭＰＥＧデコーダ８に出力する。視聴者が予約録画の操作を行った場合は、ＣＰＵ１はＲＡＭ１１に予約録画の内容を記憶しておき、録画開始時間になるとシステムコントローラ６を制御して記録を開始し、録画終了時間になるとシステムコントローラ６を制御して記録を停止する。
【００１８】
次に、アナログ放送の番組を受信する場合、視聴者がリモコン等を用いて所望の番組が放送されているチャンネルを選択する操作を行うと、この選択信号がＣＰＵ１に伝送され、ＣＰＵ１は該当チャンネルを抽出するようにチューナ２を制御する。チューナ２には、アンテナ２０で受信したアナログ放送波が入力される。チューナ２は選択番組を放送しているチャンネルのアナログ放送信号を抽出し、増幅してアナログ放送復調部４に出力する。アナログ放送復調部４は入力されたアナログ放送信号をアナログ形式の映像信号および音声信号に変換し、ＭＰＥＧエンコーダ５に出力する。ＭＰＥＧエンコーダ５は、入力されたアナログ形式の映像信号および音声信号をエンコードし、第２のディジタルデータであるトランスポートストリームＴＳａ（以下、単に「ＴＳａ」という。）に変換し、システムコントローラ６に出力する。ＭＰＥＧエンコーダ５は、アナログ形式の映像信号および音声信号をＴＳａに変換する際、映像信号および音声信号に基づいて生成される映像データ（ストリーム）および音声データ（ストリーム）とともに、多重化や同期化等の各種の付加情報を生成し、ＴＳａに付加する。この付加データには時間情報が含まれており、同期再生の際に利用される。この時間情報があることで、各ストリームの時間上の位置関係が識別できる。システムコントローラ６に入力されて以降のフローはディジタル放送信号に基づいて生成されたＴＳｄと同じであるので説明を省略する。
【００１９】
次に、ディジタル放送を受信記録中に受信状態が悪化した場合の処理について説明する。
【００２０】
視聴者が、リモコン等でディジタル放送の録画操作を行うと、ＣＰＵ１はこの操作命令を受信し、予約録画であればＲＡＭ１１に、チャンネル、録画開始時間、終了時間等の録画内容が記録される。予約録画でなければ、ＣＰＵ１は、チューナ２に受信するチャンネルを指定する。そして、ＣＰＵ１は、チューナ２で受信し、ディジタル放送復調部３で復調されたＴＳｄの付加情報を解析し、現在受信中のディジタル放送で放映されている番組が、他のアナログ放送のチャンネルで放映されているかを確認する。アナログ放送で同じ番組が放映されている場合には、該当するアナログ放送信号を受信するよう、チューナ２に指定する。受信されたアナログ放送信号は、アナログ放送復調部４で映像信号と音声信号に変換され、ＭＰＥＧエンコーダ５でＴＳａに変換される。
【００２１】
ＣＰＵ１は、ディジタル放送復調部３で生成されたＴＳｄの時間情報と、ＭＰＥＧエンコーダ５で生成されたＴＳａの時間情報とを取得し、この二つの時間情報を解析して関連付けを行い、ＲＡＭ１１に記憶させる。
【００２２】
ＴＳｄとＴＳａとは、システムコントローラ６に入力され、ハードディスク７に記録される。システムコントローラ６は、ＴＳｄとＴＳａとを同時に受信し、付属のメモリに所定の単位毎に蓄積した後に、ハードディスク７にＴＳｄとＴＳａとを交互に送信して記録させる。すなわち、ＴＳｄをメモリで蓄積している間に、その以前にメモリに蓄積されたＴＳａをハードディスク７に送信し、終了すると、ＴＳａをメモリで蓄積しながら、蓄積されたＴＳｄをハードディスク７に送信する。このようにして、ＴＳｄとＴＳａとを同時にハードディスク７に記録する。ここで、ハードディスク７では、ＴＳｄとＴＳａとは別のファイルで記録されている。
【００２３】
ここで、ディジタル放送の受信状態が、図２に示すように一時的に悪化した場合、ディジタル放送信号から生成されるＴＳｄは、鮮明な映像および音声が得られる良好なＴＳｄ部１０１，１０３（０：００（録画開始）〜０：５７，１：０１〜２：００（録画終了））の間に、全く映像および音声が得られない重不良ＴＳｄ部１０２（０：５７〜１：０１）が存在する状態でハードディスク７に記録される。一方、アナログ放送信号から生成されるＴＳａは、ディジタル放送信号ほどではないが良好な映像および音声が得られる良好なＴＳａ部２０１，２０３の間に、ノイズが重畳し若干視聴しにくい映像および音声が得られるＴＳａ部２０２が存在する状態でハードディスク７に記録される。
【００２４】
ＣＰＵ１は、チューナ２で受信されたディジタル放送信号のＣ／Ｎ比を所定の間隔で観測しており、Ｃ／Ｎ比が予め設定した閾値（映像データおよび音声データが得られるＣ／Ｎ比）以下とのなった時点の補填時間情報をディジタル放送復調部３から取得する。その後、Ｃ／Ｎ比が前記閾値よりも高くなった時点の補填時間情報も同様に取得する。これらの補填時間情報はＲＡＭ１１に記憶される。
【００２５】
所望の番組の記録が終了すると、ＣＰＵ１は、Ｃ／Ｎ比が閾値以下となる部分があれば、前記補填時間情報とＴＳｄ，ＴＳａのそれぞれの時間情報とに基づいて、Ｃ／Ｎ比が閾値以下の部分のＴＳｄ１０２を、同時間に対応するＴＳａ２０２に置き換えて、映像および音声が視聴できない部分を補填する。
【００２６】
補填方法としては、ＴＳｄ１０２をＴＳａ２０２で上書きして保存し、ＴＳａ２０１，２０３を消去する。
【００２７】
なお、ＴＳｄ１０１とＴＳａ２０２とＴＳｄ１０３とからなる、新たなＴＳ（図２中の複合ＴＳ）のファイルを形成してハードディスク７に保存し、記憶されていたＴＳｄ１０１〜１０３とＴＳａ２０１〜２０３とを消去してもよい。
【００２８】
ここで、ＣＰＵ１は、ＲＡＭ１１に記憶されているＴＳｄの時間情報とＴＳａの時間情報との相関関係に基づいて、ディジタル放送信号のＣ／Ｎ比が低下した時点でのＴＳｄの時間情報からこれに対応するＴＳａの時間情報を検出して、前記補填の時間整合に用いる。
【００２９】
このような構成とすることで、視聴者は、映像および音声が若干悪い箇所が部分的に存在しても、記録したトランスポートストリームにより映像および音声を連続して、且つできる限り鮮明なもので視聴することができる。また、視聴者は予約録画した番組を再生したい時に確実に見ることができる。また、保存した後にＴＳｄ、ＴＳａの不要部を消去するので、ハードディスクを有効に使用することができる。
【００３０】
なお、本実施形態では、ＴＳｄとＴＳａとを記録しておき、ＴＳｄの不良部を、その部分に該当するＴＳａで置き換えた後に、保存する方法を示したが、ＴＳｄの良好部と、ＴＳｄの不良部に該当するＴＳａとを個別に保存しておき、再生時に時間情報に基づいて、連続した映像、音声となるようにＣＰＵ１で制御してもよい。
【００３１】
また、本実施形態では、記録が完全に終了した後に補填を行っているが、ＴＳｄ、ＴＳａには時間情報が付加されているので、ＴＳｄ、ＴＳａを順次記録していくのに平行して、補填を行ってもよい。
【００３２】
また、Ｃ／Ｎ比が閾値より低くなった時点で、ＣＰＵ１はシステムコントローラ６を制御して、ＴＳｄの記録からＴＳａの記録に切り替え、Ｃ／Ｎ比が閾値よりも大きくなれば、ＴＳａの記録からＴＳｄの記録に切り替えることで補填を行ってもよい。
【００３３】
【発明の効果】
この発明のディジタル放送／アナログ放送受信記録装置によれば、ディジタル放送信号から映像および音声が得られた部分のみを、同時に放送されているアナログ放送信号で補填することで、視聴者は、映像および音声が若干悪い箇所が部分的に存在しても、記録した映像および音声を連続して、且つできる限り鮮明なもので視聴することができる。また、補填後に不必要な記録データは消去するので、記録媒体を有効に使用することができる。また、ＲＡＭに記憶されている補填時間とＴＳｄ，ＴＳａに付加されている時間情報とに基づいて補填を行うので、補填部を正確に整合することができ、切れ目のない映像および音声をさらに確実に記録することができる。
【図面の簡単な説明】
【図１】本発明に係るディジタル放送／アナログ放送受信記録装置の主要部を示すブロック図
【図２】録画経過時間とディジタル放送の受信状態、ＴＳｄ，ＴＳａの記録状態、およびＴＳｄをＴＳａで補填して得られる複合ＴＳの状態とを示す概要図
【符号の説明】
１−ＣＰＵ
２−チューナ
３−ディジタル放送復調部
４−アナログ放送復調部
５−ＭＰＥＧエンコーダ
６−システムコントローラ
７−ハードディスク
８−ＭＰＥＧデコーダ
１１−ＲＡＭ
２０−アンテナ
ＴＳｄ−ディジタル放送信号に基づいて生成されたトランスポートストリーム
ＴＳａ−アナログ放送信号を変換して生成されたトランスポートストリーム
１０１，１０３−良好なＴＳｄ
１０２−不良ＴＳｄ
２０１，２０２，２０３−ＴＳａ
【図１】
2004080674.tif 000003
【図２】
2004080674.tif 000004